(57)【要約】【課題】エアフィルタの着脱が簡単にでき、周囲も清浄に保つようにする。【解決手段】機械室１４の前面パネル１５に開口された吸気口２５には取付枠３２が嵌着され、吸気口２５の裏側において設けられた上下の取付溝３６，５０に、エアフィルタ２７が吸気口２５を通して前方から着脱可能に装着される。下側の取付溝５０の奥縁に排出口５２が形成される。凝縮器２２の前方に配された吸気ダクト６０の前端が取付枠３２に外嵌され、前端側の下面に受け部６１が形成される。受け部６１の奥側には、オイルパン６７に開口する導出口６２が形成される。エアフィルタ２７で捕捉されたオイルは、流下して下取付溝５０で受けられたのち排出口５２から受け部６１に滴下し、さらに導出口６２からオイルパン６７内に滴下して回収される。エアフィルタ２７の掃除を行う場合は、前面パネル１５はそのままに、吸気口２５を通して前方から外すことができる。【選択図】  図２
2004332962.tif 000002
【特許請求の範囲】
【請求項１】
貯蔵庫本体に付設された機械室内には、冷凍装置の一部を構成する凝縮器とこの凝縮器に送風するためのファンとが設けられた冷却貯蔵庫において、
前記機械室の前面パネルには前記凝縮器の前方に対向して吸気口が設けられ、この吸気口の裏側の口縁における少なくとも上下両縁には取付溝が設けられて、これらの取付溝にはエアフィルタが前記吸気口を通して前方から着脱可能に嵌合されるとともに、下側の前記取付溝には、溜まったオイル等を排出可能な排出口が形成され、前記機械室には、前記排出口から排出されたオイル等を受けるオイルパンが設けられていることを特徴とする冷却貯蔵庫。
【請求項２】
前記凝縮器の前方には吸気ダクトが延出して設けられ、この吸気ダクトの延出端が前記取付溝の外側に嵌められているとともに、前記吸気ダクトの下面には、前記排出口から排出されたオイル等を前記オイルパンに導出する導出口が形成されていることを特徴とする請求項１記載の冷却貯蔵庫。
【発明の詳細な説明】
【０００１】
【発明の属する技術分野】
本発明は、凝縮器への吸気通路に介装されるエアフィルタの配設構造に改良を加えた冷却貯蔵庫に関する。
【０００２】
【従来の技術】
従来、業務用冷蔵庫の機械室構造の一例として、図６に示すものが知られている。このものは、機械室１が冷蔵庫本体２の上部に設けられてその中に冷凍装置が収容され、特に凝縮器３を冷却する部分では、凝縮器３の後面側にファン４が装備されるとともに、機械室１の前面パネル５にルーバ状の吸気口６が形成されて、吸気口６と凝縮器３の前面とが吸気ダクト７で連結され、吸気口６の裏側にエアフィルタ８が押し込まれて装着されている。そしてファン４が駆動されると、吸気口６から外気が吸引されて吸気ダクト７を通して凝縮器３に当てられることでこれを冷却し、外気中に混じったオイルや塵埃はエアフィルタ８で捕捉されて除去されるようになっている。
なお、この種の機械室構造は、例えば特許文献１に記載されている。
【０００３】
【特許文献１】
特開２００２−２４３３５１公報
【０００４】
【発明が解決しようとする課題】
上記従来のものは、吸気ダクト７を設けていることで、外気を効率良く凝縮器３に当てることができるのに加え、外気中に混じったオイルや塵埃をエアフィルタ８で確実に除去して、機械室１内が汚れることを回避し得る利点はあるが、エアフィルタ８がルーバ状の吸気口６の裏側に装着されているため、エアフィルタ８を掃除等のために外すには、前面パネル５を開けるか若しくは外す必要があり面倒であった。また、エアフィルタ８の掃除を長時間怠ると、捕捉したオイルが流下してエアフィルタ８の装着位置で溢れ、場合によっては冷蔵庫本体２の表面にまで垂れ落ちて汚すことも懸念されるため、その改良が切望されていた。
本発明は上記のような事情に基づいて完成されたものであって、その目的は、エアフィルタの着脱が簡単にでき、また周囲を清浄に保つことができるようにするところにある。
【０００５】
【課題を解決するための手段】
上記の目的を達成するための手段として、請求項１の発明は、貯蔵庫本体に付設された機械室内には、冷凍装置の一部を構成する凝縮器とこの凝縮器に送風するためのファンとが設けられた冷却貯蔵庫において、前記機械室の前面パネルには前記凝縮器の前方に対向して吸気口が設けられ、この吸気口の裏側の口縁における少なくとも上下両縁には取付溝が設けられて、これらの取付溝にはエアフィルタが前記吸気口を通して前方から着脱可能に嵌合されるとともに、下側の前記取付溝には、溜まったオイル等を排出可能な排出口が形成され、前記機械室には、前記排出口から排出されたオイル等を受けるオイルパンが設けられている構成としたところに特徴を有する。
【０００６】
請求項２の発明は、請求項１に記載のものにおいて、前記凝縮器の前方には吸気ダクトが延出して設けられ、この吸気ダクトの延出端が前記取付溝の外側に嵌められているとともに、前記吸気ダクトの下面には、前記排出口から排出されたオイル等を前記オイルパンに導出する導出口が形成されているところに特徴を有する。
【０００７】
【発明の作用及び効果】
＜請求項１の発明＞
ファンが駆動されると、吸気口から外気が吸引されて凝縮器に当てられることでこれを冷却し、外気中に混じったオイルや塵埃はエアフィルタで捕捉されて除去される。捕捉されてエアフィルタを伝って流下したオイルは下側の取付溝で受けられ、そこに設けられた排出口から排出されてオイルパンに回収される。エアフィルタの掃除等を行う場合は、エアフィルタを上下に動かす等により取付溝から外しつつ、吸気口を通して取り出すことができる。
前面パネルを固定したままでエアフィルタの着脱ができるから、エアフィルタの掃除等を行う場合に便利となる。エアフィルタで捕捉したオイルはすべてオイルパンに回収されるから、機械室内や貯蔵庫本体の表面等を汚すことなく清浄に保つことができる。
【０００８】
＜請求項２の発明＞
吸気口から吸引された外気は、吸気ダクトを通して効率良く凝縮器に当てられる。エアフィルタで捕捉されて下側の取付溝の排出口から排出されたオイルは、吸気ダクトの下面で受けられたのち、そこに設けられた導出口からオイルパンに回収される。
【０００９】
【発明の実施の形態】
以下、本発明の一実施形態を図１ないし図５に基づいて説明する。
この実施形態の冷蔵庫は、前面開口のやや縦長の断熱箱体からなる冷蔵庫本体１０を備えており、その内部が貯蔵室とされて、前面開口に上下２組の観音開き式の扉１１が設けられるとともに、底面に設けられた脚１２によって支持されている。
冷蔵庫本体１０の上面には機械室１４が形成され、この機械室１４は、前面並びに左右の側面に、前面パネル１５と左右の側面パネル１６とが立てられ、後面は開口されている。
機械室１４内には、冷凍ユニット１７及び電装箱１８が載置台１９に載せられて設置されている。冷凍ユニット１７は、圧縮機２１の前方に凝縮器２２が配され、貯蔵室側に配置された冷却器（図示せず）等と冷媒配管で循環接続されることにより冷凍回路を構成しており、図２に示すように、凝縮器２２の後面には凝縮器ファン２３が取付ブラケット２４を介して装備されている。
【００１０】
一方、前面パネル１５における凝縮器２２の前方に対応する位置には、方形状をなす吸気口２５が形成されている。この吸気口２５には、エアフィルタ２７の取付枠３２が嵌着されている。
エアフィルタ２７は、例えば合成樹脂製の枠体２８内にフィルタ網２９が張られた構造であって、図２に示すように、表面の下部側に取手３０が設けられている。エアフィルタ２７の高さ寸法は、取付枠３２内の縦寸法よりも若干大きく、逆に幅寸法は、取付枠３２内の横寸法よりも僅かに小さく形成されている。
【００１１】
続いて、取付枠３２について説明する。取付枠３２は例えばステンレス鋼板製であって、上枠３３は、図２に示すように、断面が方形波状をなす下板３４と、前面板３５Ａの方が背の低い伏チャンネル形をなす上板３５とを備え、下板３４に上板３５が被せられて、下板３４の奥側の上面角部が上板３５の奥側の上面隅部に当てられるとともに、両板３４，３５の前面板３４Ａ，３５Ａの間で吸気口２５の上縁を挟んで固定されている。そして、この上枠３３の吸気口２５から所定寸法裏側に入った位置に、下方に開口した上取付溝３６が形成されている。
【００１２】
下枠３８は、図３ないし図５に示すように、下板３９と上板４２とを備えている。下板３９には、その前縁に背の低い前面板４０が立ち上げられているとともに、後縁の幅方向の中央部には、その後縁から所定寸法後退した位置から縦板４１が立ち上がり形成されている。
一方、上板４２は、図５（Ａ）に示すように、前面板４３の上縁から後方に向けて下り勾配となった傾斜板４４が形成され、その後縁に一段下がった段差板４５が形成されている。この段差板４５の後縁の両端部には、その後縁よりも所定寸法（上記の下板３９側よりも板厚分小さい）後退した位置から取付板４６が立ち上がり形成されている。
【００１３】
図５（Ａ）に示すように、下板３９に対して上板４２が被せられ、図３に示すように両板３９，４２の前面板４０，４３同士の間に吸気口２５のが下縁が挟まれるとともに、図４に示すように、下板３９とその上に重ねられた上板４２の段差板４５とが、両端部においてねじ４８で固定される。このとき、図５（Ｂ）に示すように、上板４２の段差板４５と下板３９との後縁同士が揃った状態となり、段差板４５と両取付板４６とによって、上側に開口した下取付溝５０が形成される。この下取付溝５０は、吸気口２５の裏側において上取付溝３６の直下に対応する。
【００１４】
それとともに、この下取付溝５０における後縁側には、縦板４１の左右両側に分かれるようにして半幅ずつの排出口５２が形成される。
なお、左右の両枠５４は、詳しい説明は省略するが、図４の鎖線示すように概ねクランク状の断面に形成され、その前面板５５が吸気口２５の左右の側縁の表面を覆うとともに、後面板５６の下端が、上記した下枠３８を構成する上板４２の両端の取付板４６の裏面に当てられてねじ止めにより固定されるようになっている。
【００１５】
図１及び図２に示すように、凝縮器２２と吸気口２５の裏面との間には、吸気ダクト６０が配されている。この吸気ダクト６０は、全体としては角筒状に形成され、前側が一段下げられた段差状に形成されており、前側の一段下がった下面が、オイルの受け部６１となっている。また、下面の後縁には延出部６３が形成されている。
この吸気ダクト６０は、延出部６３を凝縮器２２並びに凝縮器ファン２３の取付ブラケット２４の下に挿入しつつ、その後面の開口が凝縮器２２の前面に合わせられ、一方、前面の開口が、上記した取付枠３２の外側に嵌められ、前端部の左右の側面に設けられた取付脚６４を、機械室１４の底面にねじで止めることにより固定されるようになっている。
【００１６】
このとき、吸気ダクト６０の前端部の下面と機械室１４の底面との間には、オイルパン６７の収容空間６５が構成される。オイルパン６７は方形の皿状に形成されて、その前面には断面鈎形の取手６８が設けられ、収容空間６５内に、前面から出し入れ可能に収容されるようになっている。
また、吸気ダクト６０における受け部６１の底面には、その奥側に寄った位置における幅方向の中央部と両端部との都合３箇所に、オイルパン６７に開口する導出口６２が形成されている。
【００１７】
本実施形態は上記のような構造であって、続いてその作用を説明する。
エアフィルタ２７を装着する場合は、図２の鎖線に示すように、上端を奥側に倒した斜め姿勢にして、前面パネル１５の吸気口２５に前方から入れつつその上端を取付枠３２の上取付溝３６に深く差し込み、続いて下端を奥側に回動するようにして吸気口２５内に入れ、下端を下取付溝５０に落とし込むことにより、同図の実線に示すように、吸気口２５の裏面側において取付枠３２内にエアフィルタ２７が装着された状態となる。
【００１８】
冷凍ユニット１７が駆動されると、それに伴って凝縮器ファン２３も駆動され、そうすると吸気口２５から外気が吸引され、引き続き吸気ダクト６０を通って凝縮器２２さらにはその後方の圧縮機２１に当てられてこれらが冷却される。この間、外気中に混じったオイルや塵埃はエアフィルタ２７で捕捉されて除去される。捕捉されたオイルは、エアフィルタ２７を伝って流下したのち下取付溝５０で受けられ、引き続いて奥縁側に形成された排出口５２から吸気ダクト６０の受け部６１に滴下する。さらに、受け部６１の奥縁側に設けられた導出口６２からオイルパン６７内に滴下して回収される。
【００１９】
エアフィルタ２７の掃除を行う場合は、図２の実線に示す装着状態から、取手３０を持って持ち上げて下端を下取付溝５０の上方に抜き、下端側を手前に回動するようにして吸気口２５を通してその前方に抜き、続いて斜め下方に下げるようにして上端を上取付溝３６から抜き出しつつ吸気口２５を通すことで、エアフィルタ２７を取付枠３２から外すことができる。掃除をしたのち再度装着する場合は、上記したと同様の手順により吸気口２５の前方から取付枠３２に装着することができる。
またオイルパン６７に溜まったオイルを廃棄する場合は、前面パネル１５を外すと、収容空間６５の前方が開放されるから、取手６８を持ってオイルパン６７を収容空間６５から引き出すことができる。
【００２０】
以上説明したように本実施形態によれば、機械室１４の前面パネル１５を固定したままでエアフィルタ２７の着脱ができるから、エアフィルタ２７の掃除等を行う場合に便利となる。エアフィルタ２７で捕捉したオイルは、下取付溝５０さらには吸気ダクト６０の受け部６１で受けられたのち、すべてオイルパン６７内に回収されるから、機械室１４内や冷蔵庫本体１０の表面（扉１１の表面）等を汚すことなく清浄に保つことができる。また、オイルパン６７に溜めることで、オイルを正規の位置に確実に廃棄することができる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）機械室の前面パネルは、例えば左右いずれか一端を中心として揺動開閉できるようになっていてもよい。
（２）下枠における下板に設けられた縦板は、例えば取付枠を左右に仕切るべく配された仕切枠を取り付けるための取付板に使用することができる。
（３）本発明は吸気ダクトを設けない形式のものにも適用可能であり、その場合は、下取付溝に設けた排出口をオイルパンの直上に配するか、排出口にオイルパンに導かれるガイドを設ければよい。
【図面の簡単な説明】
【図１】本発明の一実施形態に係る冷蔵庫の分解斜視図
【図２】機械室における凝縮器の冷却経路の構造を示す断面図
【図３】オイルパンの配設付近を示す部分断面図
【図４】下枠の分解斜視図
【図５】下枠の組付構造を示す断面図
【図６】従来例の機械室内の構造を示す概略断面図
【符号の説明】
１０…冷蔵庫本体  １４…機械室  １５…前面パネル  １７…冷凍ユニット  ２２…凝縮器  ２３…凝縮器ファン  ２５…吸気口  ２７…エアフィルタ  ３２…取付枠  ３３…上枠  ３６…上取付溝  ３８…下枠  ５０…下取付溝  ５２…排出口  ６０…吸気ダクト  ６１…受け部  ６２…導出口  ６７…オイルパン
【図１】
2004332962.tif 000003
【図２】
2004332962.tif 000004
【図３】
2004332962.tif 000005
【図４】
2004332962.tif 000006
【図５】
2004332962.tif 000007
【図６】
2004332962.tif 000008